(57)【特許請求の範囲】
【請求項１】
赤、緑、青の各色を発光するＲＧＢＬＥＤと、該ＲＧＢＬＥＤの点灯制御を行うＣＰＵと、各設定色に対して前記赤、緑、青の各ＲＧＢＬＥＤそれぞれに何％の割合で電流を流すかの情報を複数のテーブル値として予め記憶しているＲＯＭと、色味の補正として前記ＲＯＭに記憶されている前記複数のテーブルの中から選択された１テーブル値を記憶するＲＡＭと、前記ＣＰＵの制御の基に前記ＲＧＢＬＥＤをドライブして該ＲＧＢＬＥＤに流す電流を微調整するＲＧＢドライバＩＣと、前記複数のテーブルを選択する画面を表示するＬＣＤと、前記ＣＰＵの制御の基に前記ＬＣＤの表示をドライブする周辺ＩＣと、該周辺ＩＣを介して前記ＣＰＵを操作して前記複数のテーブル値を選択するモードである補正モードＢに移行させ、選択したテーブルを前記ＲＡＭに記憶すると共に、電話番号入力等を行うキーパットとを有し、発色させる色の補正を行う設定者が前記キーパットを操作し前記周辺ＩＣを介して前記ＣＰＵを前記ＲＯＭに予め記憶されている前記複数のテーブルを選択する補正モードへ移行させてテーブルを選択する画面を前記ＬＣＤに表示し、前記キーパットの操作により前記複数のテーブルの中から白色に近いテーブルを選択し、前記ＣＰＵは該選択されたテーブルの電流設定値に合わせて前記ＲＧＢドライバＩＣを制御して前記ＬＣＤバックライトから発色する白色を変化させ、設定者が最も白色になる色を決定すると共に、前記選択されたテーブルを前記ＲＡＭに記憶することを特徴としたＲＧＢＬＥＤ発光における色味補正方法。
【請求項２】
白色の色味を選択して決定された前記テーブルに、他の複数色について前記ＲＧＢＬＥＤに流す電流設定として、白色時のＲＧＢＬＥＤの電流比と相関するような電流設定値を持つように構成し、前記ＣＰＵは、前記ＲＡＭに記憶された前記テーブルの各複数色の電流設定値を基に前記ＲＧＢドライバＩＣを制御して前記ＬＣＤバックライトから前記複数色の中で指定された色を発色させることを更に特徴とする請求項１に記載のＲＧＢＬＥＤ発光における色味補正方法。
【請求項３】
前記ＣＰＵに外部Ｉ／Ｏによりシリアルデータを転送して前記複数のテーブルを選択する補正モードに移行させ、前記複数のテーブルの中から特定の１つのテーブルを選択し、生産ラインで作業者が色味の補正を行う際に前記キーパットを操作することなくパーソナルコンピュータによりシリアルデータを転送させるのみで、特定の１つのテーブルを選択して作業を行うことを更に特徴とする請求項１または２のいずれか一項に記載のＲＧＢＬＥＤ発光における色味補正方法。
【発明の詳細な説明】
【０００１】
【発明の属する技術分野】
本発明は、ＲＧＢＬＥＤ発光における色味補正装置及びその補正方法に関し、詳しくは、ＲＧＢＬＥＤ（３色：赤、緑、青  ＬＥＤ）の発光させる色や輝度の組み合わせによって、様々な色、例えば赤色、緑色、青色、水色、黄色、紫色、白色を発色させることができるが、ＲＧＢＬＥＤを使用して様々な色を発色する場合（以降、総称して混合色、ＲＧＢＬＥＤにて発色させる各色については、赤色、緑色、青色、水色、黄色、紫色、白色の“色”を付けて表現し、ＲＧＢＬＥＤの赤、緑、青  ＬＥＤと区別する）に、ＲＧＢＬＥＤの赤、緑、青  ＬＥＤそれぞれの個体毎の特性ばらつき（以降、ＲＧＢＬＥＤの特性ばらつきと表現する）によって、混合色の色味ばらつきが大きくなってしまう問題を解決し、この色味ばらつきを補正する手段に関するものである。
【０００２】
【従来の技術】
例えば、携帯電話のＬＣＤバックライトや部分的に光らせるイルミネーションとして、数色の色を発色させる場合に、３つの色（赤、緑、青）のＬＥＤを持つＲＧＢＬＥＤを使用し、各ＬＥＤを発光させる組み合わせや、発光させる輝度を各ＬＥＤに流す電流量を調節することによって、様々な混合色を作り出すことができる。
【０００３】
しかしながら、ＬＥＤの特性上、各ＲＧＢＬＥＤ毎の特性ばらつきにより輝度や色味にばらつきがあり、ＲＧＢＬＥＤ個々に対して同一の設定では同じ色を発色させることができないし、むしろ全く異なった色になってしまう問題があった。
【０００４】
上記問題に対して、従来では設定した色（混合色）毎に３つのＬＥＤに流れる電流量を微調にて可変させることにより輝度のバランスをとり、設定した色（混合色）の色味を統一する方法が採られいる。
【０００５】
しかるに、それでも尚ＲＧＢＬＥＤの特性ばらつきの範囲は大きく、少々の微調整では全てのＲＧＢＬＥＤ個々に対して補正することは不可能である。これは、赤、緑、青  ＬＥＤの輝度バランスの組み合わせが広く、赤、緑、青  ＬＥＤのそれぞれに流れる電流の調整幅が広くなり、バランス調整は容易ではないことによる。
【０００６】
例えば、白色を発色させるために、あるＲＧＢＬＥＤは赤に流すことができる電流量の６０％、緑は７５％、青は２５％で白になっても、その全く逆となる赤３０％、緑２５％、青７５％でないと白にならないＲＧＢＬＥＤも存在する。この調整幅を狭くして調整を容易にするためには、使用するＲＧＢＬＥＤの輝度や色味にランクを設けて、ある特定のランク品のみを使用する等によって対応する必要がでてくる。
【０００７】
従来の補正方法について図１、図４、図５を用いて説明する。
【０００８】
図４は従来におけるＬＣＤ画面表示例を示す図である。即ち図４は、従来の補正方法について、ＲＧＢＬＥＤにより、赤色、水色、白色の３色を発色する場合について具体例を示していて、各色を発色する時の電流設定値は、ＲＧＢＬＥＤの特性ばらつきの中で、最も多く存在するばらつき範囲の平均に合わせた電流設定値で固定設定である。図４のＬＣＤ画面表示例は、初期設定（デフォルト設定）時を例として表している。デフォルトの電流設定値に対して、赤、緑、青  ＬＥＤに流れる電流量を９段階で微調整（例えば、１段階で５％）することによって各色の色味を補正する。
【０００９】
図５は従来の補正方法について補正を行う設定者の動作とＣＰＵ３の動作を合わせてフローにて示している。
【００１０】
図４はＲＧＢＬＥＤにて赤色、水色、白色の３色を発色する場合を例にあげていて、例えば白色についてはＲＧＢＬＥＤの赤  ＬＥＤに流す電流量は、赤に流すことができる総電流量の６０％、緑は６５％、青は３５％流す設定となっている。
【００１１】
また、図４の“ＬＣＤ画面表示例”にあるように、赤、緑、青  ＬＥＤそれぞれに数字の５が選択（四角にて囲われている）されているときが、前記赤、緑、青  ＬＥＤに流すことができる総電流量の赤６０％、緑６５％、青３５％流す設定（デフォルトの設定値）となることを意味している。これは携帯電話１内のＲＯＭ４に固定設定値として記憶されている。
【００１２】
同様に、赤色については、赤１００％、緑０％、青０％で、ＬＣＤ画面表示では赤ＬＥＤ部の数字の９が選択されている時が１００％、緑、青  ＬＥＤ部については、１が選択されている時が０％の電流設定となる。
【００１３】
ＣＰＵ３はこの記憶されている固定設定値をもとにＲＧＢドライバＩＣ６を制御して赤色、水色、白色等の各色を発色させる。
【００１４】
ここで、各色に発色させる色味の補正を行う際には、図５に示すように、補正の設定を行う設定者は、キーパット１０を操作することにより、ＣＰＵ３に発色させる色味を補正する、補正モードＡへ移行させ、ＣＰＵ３は補正する色を選択する画面をＬＣＤ９に表示する。
【００１５】
次に、設定者が補正したい色をキーパット１０を操作して選択すると、ＣＰＵ３は補正する色をＲＧＢドライバＩＣ６を制御してＬＣＤバックライト８に発色させる。更に、図４にあるように、前記“ＬＥＤ画面表示例”にて示す表示をＬＣＤ９に表示させる。
【００１６】
これは、補正を行う色における、赤、緑、青の各ＬＥＤの輝度で、デフォルト値から輝度が低くなる方向へ４段階、輝度が高くなる方向へ４段階の調整を、キーパット１０を操作することにより可能となる。ただし、ＲＧＢＬＥＤに流す電流量を０％〜１００％までは調整できない微少な補正となる。この場合には、微少な補正量であるために、ＲＧＢＬＥＤの特性ばらつきの大きなＲＧＢＬＥＤに対しては、補正しきれないという問題が発生することになる。
【００１７】
逆に、０％〜１００％まで調整できるようにした場合には、もともと白色に発色させる設定であるにもかかわらず、赤、緑、青  ＬＥＤの輝度バランスが白色とは異なり、黄色や青色を発色させることも可能となり、発色させる色名に合わない色を発色することになってしまう。
【００１８】
また、目的の色を発色させるための赤、緑、青  ＬＥＤの輝度バランスの設定方法を知らない者では、目的の色を作り出すことができない場合が出てくると考えられる。
【００１９】
次に、設定者はキーパット１０を操作してＬＣＤバックライト８から発色している色を見ながら好みの色に調整を行い、好みの色に調整した状態を記憶する記憶設定を行う。これを受けてＣＰＵ３は調整された補正量をＲＡＭ５に記憶する。
【００２０】
【発明が解決しようとする課題】
しかしながら、使用されるＲＧＢＬＥＤのばらつき範囲が大きく、微調整のみで補正しようとすると、ＲＧＢＬＥＤのある特定のランク品のみしか使用できないことになり、従って、ＲＧＢＬＥＤの入手性が悪く、必要数量が確保できなくなる、コストが上がる等の問題が出てくる。
【００２１】
または、発色させる色（混合色）に対して赤、緑、青の３つのＬＥＤに流す電流量を０％〜１００％まで調整することができれば、ばらつき範囲全てに対して調整可能となるが、目的の色を発色させるための赤、緑、青  ＬＥＤの輝度バランスの設定方法を知らない者では、どの色に何％電流を流せば良いのかわからなく問題となる。
【００２２】
更には、もともと白色に発色させる設定であるにもかかわらず、赤、緑、青
ＬＥＤの輝度バランスが白色とは異なり、黄色や青色を発色させる状態も起こり得るが、この場合には色名に合わない色を発色することにもなってしまう。
【００２３】
本発明はこうした従来の上記実情に鑑み、従来の技術に内在する上記欠点を解消する為になされたものであり、従って本発明の目的は、ＲＧＢＬＥＤ個々に対して目的の色を発色するように調整を行うことができるようにしたＲＧＢＬＥＤ発光における新規な色味補正方法を提供することにある。
【００２４】
【課題を解決するための手段】
本発明におけるＲＧＢＬＥＤ発光による色味補正装置は、赤、緑、青の各色を発光するＲＧＢＬＥＤと、該ＲＧＢＬＥＤの点灯制御を行うＣＰＵと、前記ＲＧＢＬＥＤが発光する色、輝度の組み合わせにより発色させられる複数の混合色として設定される各設定色に対して前記赤、緑、青の各ＲＧＢＬＥＤそれぞれに何％の割合で電流を流すかの情報を複数のテーブル値として予め記憶しているＲＯＭと、色味の補正として前記ＲＯＭに記憶されている前記複数のテーブルの中から選択された１テーブル値を記憶するＲＡＭと、前記ＣＰＵの制御の基に前記ＲＧＢＬＥＤを前記選択された１テーブルの値に基づいた設定電流でドライブして該ＲＧＢＬＥＤに流す電流を微調整するＲＧＢドライバＩＣと、前記複数のテーブルを選択する画面を表示するＬＣＤと、前記ＣＰＵの制御の基に前記ＬＣＤの表示をドライブする周辺ＩＣと、電話番号入力等を行うキーパットとを具備し、前記複数のテーブルの中から最も良く白色を発色するテーブルを選択して該選択されたテーブルに予め設定されているデータを基に残りの各設定色及び白色を発光させるものである。
【００２５】
前記ＣＰＵにシリアルデータを転送することにより前記複数のテーブル値を選択するモードである補正モードＢに移行させて該複数のテーブル値の中から所望のテーブル値を選択する外部Ｉ／Ｏ手段を設けている。
【００２６】
上記目的を達成する為に、本発明に係るＲＧＢＬＥＤ発光における色味補正方法は、赤、緑、青の各色を発光するＲＧＢＬＥＤと、該ＲＧＢＬＥＤの点灯制御を行うＣＰＵと、各設定色に対して前記赤、緑、青の各ＲＧＢＬＥＤそれぞれに何％の割合で電流を流すかの情報を複数のテーブル値として予め記憶しているＲＯＭと、色味の補正として前記ＲＯＭに記憶されている前記複数のテーブルの中から選択された１テーブル値を記憶するＲＡＭと、前記ＣＰＵの制御の基に前記ＲＧＢＬＥＤをドライブして該ＲＧＢＬＥＤに流す電流を微調整するＲＧＢドライバＩＣと、前記複数のテーブルを選択する画面を表示するＬＣＤと、前記ＣＰＵの制御の基に前記ＬＣＤの表示をドライブする周辺ＩＣと、該周辺ＩＣを介してＣＰＵを操作して前記複数のテーブル値を選択する補正モードＢに移行させる等と共に、電話番号入力等を行うキーパットとを有し、発色させる色の補正を行う設定者が前記キーパットを操作して前記ＣＰＵを前記複数のテーブルを選択する補正モードＢへ移行させてテーブルを選択する画面を前記ＬＣＤに表示し、前記キーパットの操作により前記複数のテーブルの中から白色に近いテーブルを選択し、前記ＣＰＵは該選択されたテーブルの電流設定値に合わせて前記ＲＧＢドライバＩＣを制御して前記ＬＣＤバックライトから発色する白色を変化させ、設定者が最も白色になる色を決定すると共に、前記選択されたテーブルを前記ＲＡＭに記憶することを特徴としている。
【００２７】
本発明によるＲＧＢＬＥＤ発光における色味補正方法においては、白色の色味を選択して決定された前記テーブルに、他の複数色について前記ＲＧＢＬＥＤに流す電流設定として、白色時のＲＧＢＬＥＤの電流比と相関するような電流設定値を持つように構成し、前記ＣＰＵは、前記ＲＡＭに記憶された前記テーブルの各複数色の電流設定値を基に前記ＲＧＢドライバＩＣを制御して前記ＬＣＤバックライトから前記複数色の中で指定された色を発色させることを特徴としている。
【００２８】
前記ＣＰＵに外部Ｉ／Ｏによりシリアルデータを転送して前記複数のテーブルを選択する補正モードに移行させ、前記複数のテーブルの中から特定の１つのテーブルを選択し、生産ラインで作業者が色味の補正を行う際に前記キーパットを操作することなくパーソナルコンピュータによりシリアルデータを転送させるのみで、特定の１つのテーブルを選択して作業を行うことを特徴としている。
【００２９】
【発明の実施の形態】
次に、本発明をその好ましい一実施の形態について図面を参照しながら詳細に説明する。
【００３０】
図１は、本発明による一実施の形態を示すブロック構成図であり、本発明を携帯電話に適用した場合を例としている。
【００３１】
【実施の形態の構成】
図１を参照するに、携帯電話１の特に制御部２には、ＲＧＢＬＥＤの点灯制御を行うＣＰＵ３と、各設定色（設定に対応して発色させる色）に対して赤、緑、青の各ＬＥＤそれぞれに何％の割合で電流を流すかの情報を、例えば、１０通りのテーブル値として予め記憶されているＲＯＭ４と、色味の補正としてＲＯＭ４に記憶された１０通りのテーブルの中から、選択された１テーブルを記憶するＲＡＭ５と、ＲＧＢＬＥＤ（ＬＣＤバックライト８）をドライブするＲＧＢドライバＩＣ６と、ＬＣＤ９の表示をドライブする周辺ＩＣ７と、赤、緑、青のＬＥＤが１つのパッケージに入ったＲＧＢＬＥＤにて発色するＬＣＤバックライト８と、文字や数字、画像等様々な表示を行うＬＣＤ９と、周辺ＩＣ７を介してＣＰＵ３を操作して１０通りのテーブル値を選択するモードに移行させる等と共に電話番号入力を行うキーパット１０と、更に外部よりシリアルデータにてＣＰＵ３にアクセスすることができる外部Ｉ／Ｏ１１とから構成されている。
【００３２】
図２はＲＯＭ４に予め記憶されている１０通りのテーブル値の具体例を示す図である。ここでは、ＲＧＢＬＥＤにより、赤色、緑色、青色、水色、黄色、紫色、白色の７色を発色させる場合について示す。表中の数値は、赤、緑、青の各ＬＥＤに流すことができる電流量のうち実際に流す割合を示したものである。
【００３３】
【実施の形態の動作】
続いて、本発明による一実施の形態について、図１、図２、図３を用いて詳細に説明する。
【００３４】
基本的にＲＧＢＬＥＤの特性ばらつきがあっても、白色以外の混合色、例えば、赤色、緑色、青色、水色、紫色、黄色については、多少違和感があっても前記６色に近い色となる。
【００３５】
しかしながら、白色については、ＲＧＢＬＥＤの特性ばらつきによって白色からかけ離れた色になってしまう。逆に、白色を発色することができれば、その他の６色についても色名に合う色を発色させることが可能となり、そのＲＧＢＬＥＤの特性ばらつき具合がわかることになる。
【００３６】
本発明は上記のようなＲＧＢＬＥＤの特性に着目してなされている。
【００３７】
図２に示すテーブル値を織り交ぜて説明すると、ＲＧＢＬＥＤの特性ばらつきの範囲を考慮して、例えば電流設定テーブルＴ１〜電流設定テーブルＴ１０までのテーブルを持ち、電流設定テーブルＴ１〜電流設定テーブルＴ１０のどれか１つを選択すれば、ＲＧＢＬＥＤの特性ばらつきが、どのようにばらついていても必ず白色が発色されるテーブルが存在し、そのテーブル値を使用すれば他の混合色においても目的とする色が発色されることになり、７色全体の補正を一度に行うことと同等の補正をすることができる。
【００３８】
本発明の補正方法について、具体的に説明するに、図３に示すように、発色させる色の補正を行う設定者は、キーパット１０を操作してＣＰＵ３に補正モードＢ（テーブル値Ｔ１〜Ｔ１０を選択するモード）へ移行させ、ＣＰＵ３はテーブルＴ１〜Ｔ１０を選択する画面をＬＣＤ９に表示する。
【００３９】
補正モードＢへ移行すると、ＣＰＵ３はＲＯＭ４に記憶されている、図２に示すテーブルＴ１〜Ｔ１０の中で、デフォルト選択されているテーブル、または補正モードＢへ移行した時点のＲＡＭ５に記憶されているテーブルの白色の電流設定値をもとに、ＲＧＢドライバＩＣ６を制御しＬＣＤバックライト８に白色を発光させる。
【００４０】
設定者はテーブルＴ１〜Ｔ１０のテーブルの中で最も白色に近いテーブルをキーパット１０を操作して選択する。ＣＰＵ３は選択されるテーブルが切り替えられる度に、その時選択されたテーブルの電流設定値に合わせてＲＧＢドライバＩＣ６を制御し、ＬＣＤバックライト８から発色する白色を変化させる。
【００４１】
次に設定者は、白色になるテーブルを選択した時に、その選択したテーブルを記憶する記憶設定をキーパット１０を操作して行う。これを受けてＣＰＵ３は選択されたテーブルをＲＡＭ５に記憶する。ここで、白色の色味を選択して決定したテーブルには、他の６色について、赤、緑、青  ＬＥＤに流す電流設定として、白色時の赤、緑、青  ＬＥＤの電流比と相関するような電流設定値を持つように構成されている。
【００４２】
ＣＰＵ３は、ＲＡＭ５に記憶されたテーブルの各７色の電流設定値をもとに、ＲＧＢドライバＩＣ６を制御し、ＬＣＤバックライト８から７色の中で指定された色を発色させる。このようにしてＲＧＢＬＥＤの特性ばらつきの範囲全てに対して、適正な補正が可能となる。
【００４３】
また、補正モードＢにて設定した値を基として、補正モードＡ（色味の微調整モード）の補正ができるようにすることによって、ＲＧＢＬＥＤの特性ばらつきの大きな範囲を一度大きく補正し、補正後の発色を基本色とし、より細かな補正が可能となる。
【００４４】
【他の実施の形態】
叙上の一実施の形態では、キーパット１０を操作して補正モードＢへ移行させる例が示されている。この場合には、携帯電話ユーザが色味の補正を行うことが前提となるが、ＲＧＢＬＥＤの特性ばらつきによって、デフォルト状態では色名に対して全く異なる色を発色するものが存在し、ユーザが色味補正を行わないかぎり改善されないことになる。
【００４５】
また、生産ラインにて予め色味補正を行うことも可能であるが、キーパット１０を操作しての補正では時間がかかり過ぎてしまう。
【００４６】
ここで、他の実施の形態としては外部Ｉ／Ｏ１１よりシリアルデータを転送して、補正モードＢへ移行させ、更にテーブル値Ｔ１〜Ｔ１０の選択でシリアルデータを転送することにより設定することができる。
【００４７】
これによって、生産ラインで作業者が色味の補正を行う場合に、キーパット１０を操作しなくてもパソコンよりシリアルデータを転送させるのみでスピーディに作業が行えることになる。
【００４８】
携帯電話ユーザの手に渡る際にも、デフォルト状態での色名と発色する色が大きく異なるという問題もなくなる。
【００４９】
【発明の効果】
本発明は以上の如く構成され、作用するものであり、本発明によれば以下に示すような効果が得られる。
【００５０】
従来はＲＧＢＬＥＤの特性ばらつきの範囲全てに対して補正することが難しく、ばらつきの範囲を限定したランク指定により、一部のＲＧＢＬＥＤのみを使用して色味のばらつき補正を行うというような必要性があったが、本発明によりＲＧＢＬＥＤの特性ばらつき範囲全てに対して補正が可能となる。
【００５１】
換言すれば、従来はＲＧＢＬＥＤの特性ばらつきの中で最も多く存在するばらつき範囲の平均に合わせた電流設定を行い、補正の際には前記ばらつき範囲の平均に合わせた設定値から微調整を行う方法であったのに対して、本発明は、ばらつき範囲全てに合わせた設定値、例えば１０通りのテーブルを予め持ち、ＲＧＢＬＥＤの特性ばらつきに合わせてテーブルを選択することができて、更に選択したテーブルの設定値を基本として、従来通りの微調整を行うことができるという効果が得られる。
【図面の簡単な説明】
【図１】本発明による一実施の形態を示すブロック構成図であり、本発明を携帯電話に適用した場合の例を示した図である。
【図２】ＲＯＭ内に予め記憶されている電流設定の１０通りのテーブル値の具体例を示す図である。
【図３】本発明の動作フローチャートである。
【図４】従来におけるＬＣＤ画面表示例を示す図である。
【図５】従来技術の動作を示すフローチャートである。
【符号の説明】
１…携帯電話
２…制御部
３…ＣＰＵ
４…ＲＯＭ
５…ＲＡＭ
６…ＲＧＢドライバＩＣ
７…周辺ＩＣ
８…ＬＣＤバックライト（ＲＧＢＬＥＤ）
９…ＬＣＤ
１０…キーパット
１１…外部Ｉ／Ｏ
【図１】
0003636979.tif 000002
【図２】
0003636979.tif 000003
【図３】
0003636979.tif 000004
【図４】
0003636979.tif 000005
【図５】
0003636979.tif 000006